(57)【特許請求の範囲】
【請求項１】
ＩＣカードの搬送方向に沿って設けられた一対の支持壁部を有するフレームと、上記一対の支持壁部間に挿脱可能に、かつ上記ＩＣカードの搬送方向へ移動可能に配置されたコネクタホルダとを備え、上記一対の支持壁部と上記コネクタホルダとの対向面の一方にガイド溝が形成され、他方にガイド溝に移動可能に嵌合されるガイド軸が設けられ、これらガイド溝とガイド軸とによって上記コネクタホルダを案内するＩＣカードのリーダライタにおいて、
上記ＩＣカードの搬送方向における上記ガイド溝の端部に、上記ガイド溝に対して上記ガイド軸が挿脱可能である開放部を上記ガイド溝に連続しかつ上記コネクタホルダが上記一対の支持壁部間へ挿入される側に開放して設けたことを特徴とするＩＣカードのリーダライタ。
【請求項２】
上記ガイド溝が上記コネクタホルダに設けられ、上記ガイド軸が上記一対の支持壁部に設けられていることを特徴とする請求項１に記載のＩＣカードのリーダライタ。
【請求項３】
上記フレームと上記コネクタホルダとの間には、上記コネクタホルダを上記開放部が設けられた端部側へ移動させたときに、同端部側への所定位置を越えた移動を阻止して上記ガイド軸が上記開放部に入り込むのを阻止し、上記コネクタホルダを所定の大きさ以上の力で同端部側へ押圧したときには、弾性変位することによって上記コネクタホルダの上記所定位置を越えた移動を許容して上記ガイド軸が上記開放部に入り込むのを許容する弾性変位部材を設けたことを特徴とする請求項１または２に記載のＩＣカードのリーダライタ。
【請求項４】
上記フレームに、上記ガイド軸が上記開放部に入り込むのを許容するまで上記弾性変位部材が弾性変位したときに、弾性変位部材に突き当たることによってそれ以上の弾性変位を阻止する保護部を形成したことを特徴とする請求項３に記載のＩＣカードのリーダライタ。
【発明の詳細な説明】
【０００１】
【発明の属する技術分野】
この発明は、ＩＣカードのリーダライタに関する。
【０００２】
【従来の技術】
従来のＩＣカードのリーダライタとしては、例えば特開昭６２ー２７１２８７号公報に記載のものがある。この公報に記載のリーダライタは、図３に示すように、ケーシング（フレーム）１とコネクタホルダ２とを備えている。ケーシング１の上面部がＩＣカードＫを搬送するための搬送路1aになっており、搬送路1aの両側には支持壁部1b，1cが形成されている。各支持壁部1b，1cには、ガイド溝1dが形成されている。一方、コネクタホルダ２の両側面には、支持軸2aを介してローラ2bが回転自在に設けられており、このローラ2bがガイド溝1dに移動可能に挿入されている。
【０００３】
上記構成のリーダライタにおいて、ＩＣカードＫが所定の位置まで搬送されると、ＩＣカードＫの先端部がコネクタホルダ２の当接部（図示せず）に突き当たり、ＩＣカードＫとコネクタホルダ２とが一緒に前方へ移動する。このとき、コネクタホルダ２はガイド溝1dによって案内されているので、前方へ移動するのと同時に下方へ移動する。そして、ＩＣカードＫが所定の接続位置に達すると、コネクタホルダ２の接触子（図示せず）がＩＣカードＫの接続端子（図示せず）に接触し、読み書き可能な状態になる。
【０００４】
ところで、上記ホルダ２を一対の支持壁部1b，1c間に組み付ける場合には、例えば次のようにして行われる。まず、支持軸2aをホルダ２の孔2cから抜き出しておき、その状態でホルダ２を一対の支持壁部1b，1c間に挿入する。また、ローラ2bをガイド溝1dに挿入する。次に、支持軸2aを外側からローラ2bに挿通し、さらにホルダ２の孔2cに嵌合固定する。
【０００５】
【発明が解決しようとする課題】
支持軸2aをローラ2bに挿通するとともに、孔2cに嵌合する場合には、ホルダ２の孔2cとローラ2bとを正確に位置合わせをする必要がある。ところが、ホルダ２を支持壁部1b，1c間に挿入した状態においては、孔2cを目視することができない。したがって、位置合わせが非常に困難である。しかも、ローラ2bはガイド溝1dを移動可能であるから、移動しないように抑えておく必要がある。したがって、ホルダ２の組み付けを手作業で行う場合には、一方の手でホルダ２およびローラ2bの両者を位置合わせした状態で支持し、他方の手で支持軸2aを操作しなければならず、その作業は非常に困難であった。
【０００６】
【課題を解決するための手段】
請求項１に係る発明は、ＩＣカードの搬送方向に沿って設けられた一対の支持壁部を有するフレームと、上記一対の支持壁部間に挿脱可能に、かつ上記ＩＣカードの搬送方向へ移動可能に配置されたコネクタホルダとを備え、上記一対の支持壁部と上記コネクタホルダとの対向面の一方にガイド溝が形成され、他方にガイド溝に移動可能に嵌合されるガイド軸が設けられ、これらガイド溝とガイド軸とによって上記コネクタホルダを案内するＩＣカードのリーダライタにおいて、上記ＩＣカードの搬送方向における上記ガイド溝の端部に、上記ガイド溝に対して上記ガイド軸が挿脱可能である開放部を上記ガイド溝に連続しかつ上記コネクタホルダが上記一対の支持壁部間へ挿入される側に開放して設けたことを特徴とするものである。
【０００７】
請求項２に係る発明は、請求項１に係る発明において、上記ガイド溝が上記コネクタホルダに設けられ、上記ガイド軸が上記一対の支持壁部に設けられているものである。
【０００８】
請求項３に係る発明は、請求項１または２に係る発明において、上記フレームと上記コネクタホルダとの間には、上記コネクタホルダを上記開放部が設けられた端部側へ移動させたときに、同端部側への所定位置を越えた移動を阻止して上記ガイド軸が上記開放部に入り込むのを阻止し、上記コネクタホルダを所定の大きさ以上の力で同端部側へ押圧したときには、弾性変位することによって上記コネクタホルダの上記所定位置を越えた移動を許容して上記ガイド軸が上記開放部に入り込むのを許容する弾性変位部材を設けたものである。
【０００９】
請求項４に係る発明は、請求項３に係る発明において、上記フレームに、上記ガイド軸が上記開放部に入り込むのを許容するまで上記弾性変位部材が弾性変位したときに、弾性変位部材に突き当たることによってそれ以上の弾性変位を阻止する保護部を形成したものである。
【００１０】
【発明の実施の形態】
以下、この発明の好適な実施の一形態に付いて図１および図２を参照して説明する。なお、図１(A)はこの発明に係るＩＣカードのリーダライタ10を示す平面図であり、図１(B)はＩＣカードＫを搬送路に挿入する前の状態を示す図１(A)のＢ−Ｂ断面図であり、図１(c)はＩＣカードを所定の接続位置まで搬送した状態を示す図１(B)と同様の断面図である。
【００１１】
図１において符号11は、リーダライタ10のケーシング（フレーム）である。このケーシング11は、水平方向に延びる上下の板部11a，11bを有しており、これらの間がＩＣカードＫを搬送するための搬送路12になっている。そして、ＩＣカードＫが挿入口13から搬送路12に挿入されると、周知のものと同様に、ＩＣカードＫをリミットスイッチ等の検出手段（図示せず）が検出し、モータ14が回転駆動される。このモータ14の回転力は、ウオーム15、ウオームホイル16および軸17を介して駆動ローラ18に伝達され、駆動ローラ18と補助ローラ19とによってＩＣカードＫが搬送路12上を前方（図において右方。以下、右方を前方と称し、左方を後方と称する。）へ搬送される。勿論、モータ14が逆転すると、ＩＣカードＫは後方へ戻される。
【００１２】
上側の板部11aの搬送方向前方側の端部には、搬送路12に臨む長方形状の窓孔11cが形成されている。この窓孔11cの両側部には、搬送路12に沿って延びる一対の支持壁部11d，11eが立設されている。一対の支持壁部11d，11eの互いの対向面には、ガイド軸20が前後に離れて２つ宛形成されている。
【００１３】
上記一対の支持壁部11d，11e間には、接触子21を有するコネクタホルダ22が一対の支持壁部11d，11eの上端側から挿脱可能に挿入されている。ホルダ22は、支持壁部11d，11eに対し前後方向へも移動可能になっている。また、ホルダ22の前方側の端部には、当接部22aが形成されている。そして、当接部22aに搬送路12上を搬送されるＩＣカードＫが突き当たると、ホルダ22がＩＣカードＫと共に前方へ移動するようになっている。その一方、ホルダ22は復帰ばね23によって後方へ付勢されており、ＩＣカードＫが後方へ搬送されるときにはそれに追随して後方へ移動する。
【００１４】
上記一対の支持壁部11d，11eと対向するホルダ22の両側面には、ガイド溝24が２つ宛形成されている。各ガイド溝24には、支持壁部11d，11eに形成されたガイド軸20がガイド溝24に沿って移動可能に嵌入されている。したがって、ホルダ22はガイド溝24に案内され、前方へ移動の移動時にはそれに伴って下方へ移動するようになっている。そして、後述する接続位置においては接触子21がＩＣカードＫの接触端子（図示せず）と接触するようになっている。
【００１５】
上記ホルダ22の前後方向への移動範囲は、通常時は、図１(c)において想像線で示す初期位置と実線で示す接続位置との間に規制されている。すなわち、上記支持壁部11dの後端部にはストッパ片（弾性変位部材）25が形成されており、ホルダ22はストッパ片25に突き当たることによってそれ以上の後方への移動が阻止されている。このときのホルダ22の位置が初期位置である。
【００１６】
その一方、ホルダ22は、前方への移動時にガイド軸20がガイド溝24の後方側の端部に突き当たると、それ以上前方へ移動不能になる。このときのホルダ22の位置が接続位置である。勿論、ケーシング11に他のストッパ部を設け、このストッパ部にホルダ22を突き当たらせることによって停止させるようにしてもよい。なお、ホルダ22またはＩＣカードＫが接続位置に達したことを検出する検出手段を設け、この検出手段からの検出信号に基づいてモータ14を停止させるようにする。
【００１７】
また、このリーダライタ10においては、一対の支持壁部11d，11eに対するホルダ22の組み付けを容易に行うことができるようにするために、さらに次の構成が採用されている。
【００１８】
すなわち、ガイド溝24の前方の端部には、ホルダ22の下面側（ホルダ22が一対の支持壁部11d，11e間に挿入される側）に開放された開放部24aが形成されている。この開放部24aは、そこからガイド軸20をガイド溝24に挿入するためのものであり、ホルダ22が初期位置に位置しているときには、ガイド軸20より前方に位置するように配置されている。したがって、ホルダ22が初期位置と接続位置との間を移動する通常時にはガイド軸20が開放部24aに入り込むことはない。
【００１９】
ただし、図２に示すように、ストッパ片25を弾性変形させつつホルダ22を後方側へ押圧移動させると、開放部24aとガイド軸20との前後方向における位置を一致させることができる。特に、この実施の形態においては、ストッパ片25の後方側に保護壁部（保護部）26が形成されており、ストッパ片25の先端部が保護壁部26に突き当たると、開放部24aとガイド軸20との前後方向の位置が一致するようになっている。開放部24aとガイド軸20との位置が一致した状態においては、ホルダ22を上方へ移動させることにより、ガイド軸20を開放部24aを通してガイド溝24から脱出させることが可能であり、逆にホルダ22を下方へ移動させることにより、ガイド軸20をガイド溝24に挿入することが可能である。
【００２０】
上記構成のリーダライタ10において、一対の支持壁部11d，11e間にホルダ22を組み付ける場合には、ホルダ22の後端面をストッパ片25に押し当てた状態で後方へ移動させ、ストッパ片25を保護壁部26に突き当たるまで弾性変形させる。すると、ガイド溝24の開放部24aとガイド軸20との前後方向における位置が一致し、それらが上下に対向する。その後、ホルダ22を下方へ移動させると、ガイド軸20が開放部24aに入り込む。そして、ストッパ片25が元の状態に復帰するまでホルダ22を前方へ移動させつつさらに下方へ移動させると、ガイド軸20がガイド溝24内に入り込む。これによって、ホルダ22の組み付けが完了する。
【００２１】
逆に、ホルダ22を支持壁部11d，11eの間から取り外す場合には、ホルダ22をストッパ片25が保護壁部26に突き当たるまで後方へ移動させた後、ホルダ22を上方へ移動させればよい。
【００２２】
このように、このリーダライタ10において、ホルダ22を組み付け、取り外す場合には、開放部24aとガイド軸20とを位置合わせし、その後ホルダ22を上方または下方へ移動させるだけでよく、組み付け、取り外しを一方の手だけできわめて容易に行うことができる。特に、この実施の形態では、ストッパ片25を保護壁部26に突き当たるまで変形させると、ガイド軸20と開放部24aとの前後方向における位置が一致するので、より一層組み付け、取り外しを容易に行うことができる。しかも、ストッパ片25は保護壁部26に突き当たるとそれ以上変形することがないので、過剰に変形して折れるのを防止することができる。
【００２３】
また、この実施の形態では、ホルダ22が初期位置と接続位置との間を移動する通常時には、開放部24aとガイド軸20との前後方向における位置が一致しないようになっているので、ガイド軸20が不用意にガイド溝24から抜け出るのを防止することができる。
【００２４】
なお、この発明は、上記の実施の形態に限定されるものでなく、適宜に設計変更可能である。例えば、上記の実施の形態においては、支持壁部11d，11eにガイド軸20を設け、ホルダ22にガイド溝24を設けているが、支持壁部11d，11eにガイド溝を設け、ホルダ22にガイド軸を設けてもよい。ただし、支持壁部11d，11eにガイド溝を設けると、支持壁部11d，11eの強度が低下するおそれがあるので、ガイド溝24はホルダ22に設けるのが望ましい。また、上記の実施の形態においては、ガイド軸20をそのままガイド溝24に挿入しているが、ガイド軸20にローラを回転自在に設け、このローラをガイド溝24に挿入するようにしてもよい。さらに、開放部24aをガイド溝24の前方側の端部に形成しているが、後方側の端部に形成してもよい。
【００２５】
【発明の効果】
請求項１に係る発明によれば、ＩＣカードの搬送方向におけるガイド溝の端部に、ガイド溝に対してガイド軸が挿脱可能である開放部をガイド溝に連続しかつコネクタホルダが一対の支持壁部間へ挿入される側に開放して設けたため、コネクタホルダを支持壁部に対して容易に組み付け、取り外すことができる。
【００２６】
請求項２に係る発明によれば、ガイド溝がコネクタホルダに設けられ、ガイド軸が一対の支持壁部に設けられているため、支持壁部の強度が低下するのを防止することができる。
【００２７】
請求項３に係る発明によれば、フレームとコネクタホルダとの間には、コネクタホルダを開放部が設けられた端部側へ移動させたときに、同端部側への所定位置を越えた移動を阻止してガイド軸が開放部に入り込むのを阻止し、コネクタホルダを所定の大きさ以上の力で同端部側へ押圧したときには、弾性変位することによってコネクタホルダの所定位置を越えた移動を許容してガイド軸が開放部に入り込むのを許容する弾性変位部材を設けたため、通常の使用時にガイド軸が開放部を通ってガイド溝から抜け出るのを防止することができる。
【００２８】
請求項４に係る発明によれば、フレームに、ガイド軸が開放部に入り込むのを許容するまで弾性変位部材が弾性変位したときに、弾性変位部材に突き当たることによってそれ以上の弾性変位を阻止する保護部を形成したため、コネクタホルダを支持壁部に対してより一層容易に組み付け、取り外すことができ、しかも、弾性変位部材が過剰に変形して折れるのを防止できる。
【図面の簡単な説明】
【図１】この発明の実施の一形態を示すものであり、図１(A)はその平面図、図１(B)はＩＣカードを挿入する前の状態を示す図１(A)のＢ−Ｂ断面図、図１(c)はＩＣカードが接続位置まで搬送された状態を示す図１(B)と同様の断面図である。
【図２】図１に示す実施の一形態の要部を拡大して示す図であって、図２(A)はその平面図、図２(B)は図２(A)のＢ−Ｂ断面図である。
【図３】従来のＩＣカードのリーダライタの一例を示す図であて、図３(A)はその一部切欠き側面図、図３(B)は図３(A)のＢ−Ｂ断面図である。
【符号の説明】
10    ＩＣカードのリーダライタ
11    ケーシング（フレーム）
11d   支持壁部
11e   支持壁部
20    ガイド軸
22    ホルダ
24    ガイド溝
24a   開放部
25    ストッパ片（弾性変位部材）
26    保護壁部（保護部）
【図１】
0003605201.tif 000002
【図２】
0003605201.tif 000003
【図３】
0003605201.tif 000004